(57)【特許請求の範囲】
【請求項１】
ウエブを把持するために、テンター装置に用いられるクリップであって、
基台と、
前記基台の前部に設けられた前記ウエブを把持するための下把持部と、
前記基台の後部から立設された左右一対の支持脚部と、
左右一対の前記支持脚部から前方にそれぞれ突出した左右一対の支持腕部と、
左右一対の前記支持腕部の間に、第１軸部によって回動自在に取り付けられた回動部と、
前記回動部から下方に突出した揺動部と、
前記揺動部に第２軸部を介して回動自在に取り付けられ、かつ、前記下把持部と共に前記ウエブを把持する上把持部と、
左右一対の前記支持腕部における前記第１軸部の後方にそれぞれ設けられた第３軸部と、
前記上把持部における前記第２軸部の後方に設けられた第４軸部と、
前記第３軸部と前記第４軸部の間に取り付けられたリンク部と、
を有することを特徴とするクリップ。
【請求項２】
前記上把持部と前記下把持部との把持状態で、前記第２軸部の中心が、前記上把持部の把持面の後端の把持力点と前記第１軸部の中心とを結ぶ直線よりも前方に位置する、
ことを特徴とする請求項１に記載のクリップ。
【請求項３】
前記上把持部と前記下把持部との把持状態で、前記第４軸部の中心が、前記上把持部の把持面の前端の係止点と前記第３軸部の中心とを結ぶ直線よりも後方に位置する、
ことを特徴とする請求項１又は２に記載のクリップ。
【請求項４】
前記上把持部は、前記下把持部の前記把持面と当接する上把持本体と、前記上把持本体の上部から突出した左右一対の二軸受け部とを有し、
前記左右一対の二軸受け部に前記第２軸部と前記第４軸部とがそれぞれ取り付けられている、
ことを特徴とする請求項２又は３のいずれか一項に記載のクリップ。
【請求項５】
前記上把持部と前記下把持部とを把持状態に付勢する付勢部をさらに有する、
ことを特徴とする請求項２乃至４のいずれか一項に記載のクリップ。
【請求項６】
前記回動部を回動させるための操作レバーが、前記回動部から上方に突出している、
ことを特徴とする請求項２乃至５のいずれか一項に記載のクリップ。
【請求項７】
前記上把持部の把持面と前記下把持部の把持面とが共に、平らな面である、
ことを特徴とする請求項２乃至６のいずれか一項に記載のクリップ。
【請求項８】
ウエブの搬送路の両側にそれぞれ配された一対の無端状のテンターチェーンと、
前記一対のテンターチェーンに所定間隔毎にそれぞれ取り付けられた請求項１に記載のクリップと、
を有することを特徴とするテンター装置。
【発明の詳細な説明】
【技術分野】
【０００１】
本発明は、フィルム、布帛、紙などのウエブを把持するクリップ及びそれを用いたテンター装置に関するものである。
【背景技術】
【０００２】
従来より、ウエブの両耳部を支持する複数のクリップと、クリップを連結するテンターチェーンと、テンターチェーンで連結されたクリップを走行させるテンターレールとを備え、テンターレール上をテンターチェーンが走行することによって、クリップに把持されたウエブを走行させるテンター装置が提案されている（例えば、特許文献１、２参照）。
【先行技術文献】
【特許文献】
【０００３】
【特許文献１】特開平５−３１９６４８号公報
【特許文献２】特開２０１０−２４７３９３号公報
【発明の概要】
【発明が解決しようとする課題】
【０００４】
上記のようなテンター装置において、フィルムを走行させる場合に、このウエブの両耳部が内側にカールする場合がある。このカールしたウエブを、従来のクリップ（例えば、特許文献２に記載のクリップ）で挟んだ場合には、このカールした部分をクリップで挟めないという問題点があった。
【０００５】
その理由は、従来のクリップは、上把持部が、ウエブの耳部の外側から内側に回転して、下把持部とによって両耳部を把持する。しかし、この上把持部がウエブの外側から内側に回転するときに、カールした部分を巻き込み、ウエブを挟めない。
【０００６】
そこで、本発明は上記問題点に鑑み、両耳部がカールしたウエブを確実に把持できるクリップ及びそれを用いたテンター装置を提供することを目的とする。
【課題を解決するための手段】
【０００７】
本発明は、ウエブを把持するために、テンター装置に用いられるクリップであって、基台と、前記基台の前部に設けられた前記ウエブを把持するための下把持部と、前記基台の後部から立設された左右一対の支持脚部と、左右一対の前記支持脚部から前方にそれぞれ突出した左右一対の支持腕部と、左右一対の前記支持腕部の間に、第１軸部によって回動自在に取り付けられた回動部と、前記回動部から下方に突出した揺動部と、
前記揺動部に第２軸部を介して回動自在に取り付けられ、かつ、前記下把持部と共に前記ウエブを把持する上把持部と、左右一対の前記支持腕部における前記第１軸部の後方にそれぞれ設けられた第３軸部と、前記上把持部における前記第２軸部の後方に設けられた第４軸部と、前記第３軸部と前記第４軸部の間に取り付けられたリンク部と、を有することを特徴とするクリップである。
【発明の効果】
【０００８】
本発明によれば、両耳部がカールしたウエブでも確実に把持できる。
【図面の簡単な説明】
【０００９】
【図１】本発明の一実施形態のクリップの斜視図である。
【図２】把持状態のクリップの側面図である。
【図３】離間状態のクリップの側面図である。
【図４】クリップの正面図である。
【図５】クリップの平面図である。
【図６】クリップのリンク機構を示す図である。
【図７】テンター装置の平面図である。
【発明を実施するための形態】
【００１０】
以下、本発明の一実施形態を示すクリップ１０と、クリップ１０を複数用いたテンター装置１００について図１〜図７に基づいて説明する。
【００１１】
（１）テンター装置１００の構成
まず、テンター装置１００の構成について図７に基づいて説明する。本実施形態のテンター装置１００は、クリップテンター装置である。
【００１２】
テンター装置１００は、左右一対の無端状のテンターチェーン１０６が、それぞれ駆動ホイール１０２，１０４に掛け渡されている。各テンターチェーン１０６には、所定間隔毎にクリップ１０が取り付けられている。クリップ１０が取り付けられた左右一対のテンターチェーン１０６は、テンターレール１０８の上を走行する。
【００１３】
テンターレール１０８は、ウエブを熱処理するための熱処理室１１０内部に配されている。
【００１４】
テンター装置１００は、左右一対のテンターチェーン１０６に取り付けられた複数のクリップ１０によってウエブＷ（例えば、フィルム、布帛、紙などである）を幅方向に対し一定の張力で把持し、熱処理室１１０内部を一定の搬送速度で通過させて、ウエブＷを熱処理する。
【００１５】
（２）クリップ１０の構造
次に、クリップ１０の構造について図１〜図５に基づいて説明する。
【００１６】
クリップ１０は金属製であって、クリップ本体１２、回動部１４、上把持部１６、左右一対のリンク部１８，１８、付勢部２０とより構成されている。
【００１７】
クリップ本体１２は、板状の基台２２、基台２２の前部に沿って設けられた下把持部２４、基台２２の後端部から立設された左右一対の支持脚部２６，２６、左右一対の支持脚部２６，２６から前方にそれぞれ突設された左右一対の支持腕部２８，２８より構成されている。クリップ本体１２は、図２及び図３に示すように、側部から見た場合に基台２２、支持脚部２６及び支持腕部２８によってコの字状に構成されている。
【００１８】
下把持部２４の上面は平らであって、この上面がウエブＷを把持する下把持面である。
【００１９】
左右一対の支持腕部２８，２８の間には、回動部１４が、水平な第１軸部３０を介して回動自在に取り付けられている。回動部１４の下面中央部からは、揺動部３２が下方に突出している。回動部１４の上面中央部からは、操作レバー３４が上方に突出している。回動部１４の後面からは左右一対の軸受部３６，３６が突出している。回動部１４、揺動部３２、操作レバー３４及び軸受部３６，３６は一体に成形されている。
【００２０】
回動部１４の揺動部３２の下端には、第２軸部３８が水平に取り付けられ、この第２軸部３８を介して回動自在に上把持部１６が取り付けられている。
【００２１】
上把持部１６は、下把持部２４と当接してウエブＷを把持するための上把持本体４０と、この上把持本体４０の上面から上方に突出した左右一対の二軸受部４２，４２から構成されている。二軸受部４２の前部には、前記した第２軸部３８が回動自在に取り付けられている。上把持本体４０の下面が上把持面である。
【００２２】
支持腕部２８における、前記第１軸部３０よりも後方の位置に、第３軸部４４が水平に設けられている。上把持部１６の二軸受部４２における、第２軸部３８よりも後方の位置に、第４軸部４６が水平に設けられている。第３軸部４４と第４軸部４６との間には、板状のリンク部４８が取り付けられている。
【００２３】
左右一対の支持腕部２８，２８の間であって、回動部１４よりも後方の位置には、付勢部２０が取り付けられている。この付勢部２０は、円筒状の筒体５０と、筒体５０の内部に挿入されているコイル状の圧縮バネ５２とを有し、筒体５０の前端部には第５軸部５４が、回動部１４の軸受部３６，３６によって回動自在に水平に取り付けられている。筒体５０の後部には、後端部が開口した左右一対の切欠き５６，５６が設けられ、これら切欠き５６に沿って移動自在に第６軸部５８が水平に配されている。この第６軸部５８の左右両端部は、左右一対の支持腕部２８，２８に取り付けられている。コイル状の圧縮バネ５２は、筒体５０内部において、第５軸部５４と第６軸部５８との間に配され、第５軸部５４と第６軸部５８とが離れるように付勢している。
【００２４】
（３）クリップ１０の動作状態
次に、クリップ１０の動作状態について図２、図３及び図６に基づいて説明する。
【００２５】
図２は上把持部１６と下把持部２４がウエブＷを把持した状態を示し、図３は上把持部１６と下把持部２４がウエブＷを開放した状態を示し、図６は、クリップ１０が上把持部１６と下把持部２４とがウエブＷを把持した状態の簡略化した状態を示している。
【００２６】
なお、以下の説明で、第１軸部３０の中心を第１支点Ｓ１、第２軸部３８の中心を第２支点Ｓ２、第３軸部４４の中心を第３支点Ｓ３、第４軸部４６の中心を第４支点Ｓ４と記載する。また、図中の「ＰＥ」は上把持部１６の後端部に位置する把持力点を示し、「ＰＳ」は上把持部１６の前端部である係止点を示している。さらに、図３において、回動部１４の回動に伴う上把持部１６の把持力点ＰＥの移動の軌跡も併せて記載している。
【００２７】
支持腕部２８、回動部１４、上把持部１６、リンク部４８は、４節のリンクを構成しているので、操作レバー３４が操作され回動部１４が回動すると、リンク部４８が、上把持部１６を第２支点Ｓ２の回りに回動させる。上把持部１６は、把持力点ＰＥの軌跡が示すように、ほぼ垂直に下把持部２４に対し把持又は離間する。なお、クリップ１０の操作レバー３４は、テンター装置１００に設けられた不図示のレバー操作部によって操作される。
【００２８】
図６に示すように、ウエブＷの把持状態においては、第２支点Ｓ２は、第１支点Ｓ１と把持力点ＰＥを結ぶ直線よりも僅かに前方に位置している。また、第４支点Ｓ４は、第３支点Ｓ３と係止点ＰＳとを結ぶ直線より僅かに後方に位置している。この状態において、ウエブＷに水平方向の張力Ｆが作用して、上把持部１６を第４支点Ｓ４の当接面を水平方向の内側に引っ張り、上把持部１６が回転して、回動部１４を水平方向の外側に回動させるように作用したとする。支持腕部２８、回動部１４、上把持部１６及びリンク部４８は、前記したように４節のリンクを構成しているので、回動部１４を水平方向の外側に回動するには、上把持部１６を第２支点Ｓ２を中心に水平方向の外側に回動させる必要がある。しかし、第２支点Ｓ２が、第１支点Ｓ１と把持力点ＰＥとを結ぶ直線よりも水平方向の前方に位置しているため、上把持部１６を水平方向の外側に回動させるためには、一旦、角度θ１を大きくして、把持力点ＰＥを第１支点Ｓ１から遠ざけることになる。すなわち、ウエブＷの張力Ｆによって把持力点ＰＥが下把持部２４に押圧され、上把持部１６の回動を防止しながら、上把持部１６と下把持部２４とのウエブＷに対する摩擦力を増大させ、ウエブＷより強く把持できる。
【００２９】
また、把持力点ＰＥが下把持部２４から受ける反力は、回動部１４の揺動部３２を水平方向外側に回動させる力を生じさせる。しかし、第４支点Ｓ４が、第３支点Ｓ３と係止点ＰＳとを結ぶ直線より後方に位置しているため、揺動部３２を水平方向の外側に回動しようとすると、一旦、角度θ２を大きくして、係止点ＰＳを下把持部２４に押圧することになる。すなわち、係止点ＰＳは、揺動部３２の回動範囲の水平方向の前端を定めるストッパーとして機能する。これによって、クリップ１０は、把持力点ＰＥが下把持部２４に対する十分な把持力を発揮する状態で、ウエブＷを把持できる。
【００３０】
このように、ウエブＷは、その張力Ｆによって揺動部３２を水平方向の外側に回動させることはできない。しかし、操作レバー３４は、回動部１４を回動させる方向に直接力を作用させるので、第１支点Ｓ１、第２支点Ｓ２及び把持力点ＰＥが直線上に並ぶように、角度θ２を一旦大きくして、上把持部１６及び下把持部２４から離間させることができる。
【００３１】
また、上把持部１６と下把持部２４が把持状態にあるときには、筒体５０が図２に示すように、第４軸部４６が第５軸部５４よりも下方に位置しているため、圧縮バネ５２の付勢力によって、その把持状態を維持できる。
【００３２】
一方、上把持部１６と下把持部２４の離間状態にあるときは、図３に示すように、筒体５０の第４軸部４６が第５軸部５４よりも上方に位置しているため、圧縮バネ５２の付勢力によって、その離間状態を維持できる。
【００３３】
上記したようにクリップ１０の上把持部１６が、ウエブＷを把持する場合には、把持力点ＰＥがほぼ垂直に下方に移動してウエブＷを把持する。そのため、ウエブＷの両耳部が図３のように内側にカールしていても、このカールした部分に、上把持部１６が接触すること無く、確実にウエブＷを把持できる。
【００３４】
（４）効果
以上により、本実施形態のクリップであると、両耳部がカールしたウエブＷであっても確実に把持し、また離間できる。したがって、従来のクリップのようにウエブＷを挟めないということがない。
【００３５】
（５）変更例
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１０・・・クリップ、１２・・・クリップ本体、１４・・・回動部、１６・・・上把持部、１８・・・リンク部、２０・・・付勢部、２２・・・基台、２４・・・下把持部、２６・・・支持脚部、２８・・・支持腕部、３０・・・第１軸部、３２・・・揺動部、３４・・・操作レバー、３６・・・軸受け部、３８・・・第２軸部、４０・・・上把持本体、４２・・・軸受け部、４４・・・第３軸部、４６・・・第４軸部、５０・・・筒体、５２・・・圧縮バネ、１００・・・テンター装置
【図１】
0005694084.tif 000002
【図２】
0005694084.tif 000003
【図３】
0005694084.tif 000004
【図４】
0005694084.tif 000005
【図５】
0005694084.tif 000006
【図６】
0005694084.tif 000007
【図７】
0005694084.tif 000008